(57)【要約】      （修正有）【課題】広告情報提供システムにおいて、ユ−ザ−自身が興味のある地域のリアルタイムの動画と共に、その地域の特産品の広告などを閲覧でき、商品も注文可能な広告情報提供システムを提供する。【解決手段】全国各地の新聞販売所ごとに予め設置したライブカメラにより、ユ−ザ−の興味のある地域に一番近い場所のリアルタイムのネット動画が閲覧出来、その際にライブ動画の表示画面に商品の広告等がリンク表示されているため、ユ−ザ−が広告主のホ−ムペ−ジへ即移動し、商品を申し込む事が簡単に出来る。【選択図】図１
2008225427.tif 000002
【特許請求の範囲】
【請求項１】
ユ−ザ−のパソコン端末で、ユ−ザ−自身により、新聞社に設置されたメインサ−バ−を経由し、ユ−ザ−登録申請等の工程後、該メインサ−バ−内のデ−タベ−スへユ−ザ−登録する工程が有り、該ユ−ザ−登録後、ユ−ザ−自身が指定した全国各地の新聞販売所に予め設置したライブカメラにより映し出される新聞販売所近辺のリアルタイムの動画が、インタ−ネット回線により最終的に該メインサ−バ−を経由して、ユ−ザ−のパソコン端末に表示されるよう構成されており、その際、各新聞販売所ごとに予め申し込まれた種々の広告情報等が、動画画面の一部にリンク表示され、ユ−ザ−が該リンク表示画面で、広告に対して、注文や応募等の種々の情報サ−ビスが受けられる事を特徴とする全国各地の新聞販売所に設置したライブカメラを利用した広告情報提供システム。
【請求項２】
ユ−ザ−が、予め申し込まれてリンク表示された広告に対して注文し、商品等を購入する事により、リンク元サイトの新聞販売所又は新聞社に報酬が支払われる事を特徴とする請求項１に記載の全国各地の新聞販売所に設置したライブカメラを利用した広告情報提供システム。
【請求項３】
全国各地の新聞販売所近辺のリアルタイムの動画が、プライバシ−に配慮した公道又は風景である事を特徴とする請求項１に記載の全国各地の新聞販売所に設置したライブカメラを利用した広告情報提供システム。
【請求項４】
ユ−ザ−がパソコン端末でライブカメラの方向転換、ズ−ムイン、ズ−ムアウト等の遠隔操作が出来る事を特徴とする請求項１に記載の全国各地の新聞販売所に設置したライブカメラを利用した広告情報提供システム。
【請求項５】
ユ−ザ−が、メインサ−バ−の設置された新聞社の発行する新聞の購読者である場合、有償の情報サ−ビスの割り引き又はポイントサ−ビスが受けられる事を特徴とする請求項１に記載の全国各地の新聞販売所に設置したライブカメラを利用した広告情報提供システム。
【請求項６】
全国各地の新聞販売所ごとに予め申し込まれリンク表示される広告情報等の申込み受付、登録、サ−バ−へのアップロ−ド、サイト構築作業又は更新・管理作業が新聞販売所を管轄する広告代理店において行われる事を特徴とする請求項１に記載の全国各地の新聞販売所に設置したライブカメラを利用した広告情報提供システム。
【発明の詳細な説明】
【技術分野】
【０００１】  本発明は、ライブカメラを利用した広告情報提供システムに関し、予め全国各地の新聞販売所ごとに該ライブカメラを設置し、動画画面の一部に予め申し込まれた広告情報がリンク表示され、ユ−ザ−が該リンク表示画面で広告情報に注文等が出来る事を特徴とする全国各地の新聞販売所に設置したライブカメラを利用した広告情報提供システムに関する。
【背景技術】
【０００２】  最近、インタ−ネットを用いたＷｅｂｃａｍ等のライブカメラで、遠隔地のユ−ザ−同士が動画会話したり、又例えばスキ−場のゲレンデにライブカメラを設置しておいて、ゲレンデの状態や状況等の情報を集客に利用している。【０００３】  一方で、ユ−ザ−が商品等をネット購入する際は、広告主のホ−ムペ−ジ上で申し込んでいる。
【発明の開示】
【発明が解決しようとする課題】
【０００４】  しかしながら、ライブカメラを公共の場に設置している所は、先述のゲレンデ等に限られており、ユ−ザ−が見たい場所に有ることは少なかった。また個人がライブカメラを自宅等に設置して第三者が動画閲覧出来るというシステムも、セキュリティ、費用、プライバシ−等の問題があり、実現していないのが現状である。
一方、商品等をネット上で購入する際は検索エンジン等で商品を検索して広告主のホ−ムペ−ジを探したり、インタ−ネットモ−ル内等で探す事が多かった。また、全国各地の地元の特産品等は、広告主がホ−ムペ−ジを有していない限りネット上で探し出す事は難しかった。
【課題を解決するための手段】
【０００５】  上記課題を解決するために本発明は、ユ−ザ−のパソコン端末で、ユ−ザ−自身により、新聞社に設置されたメインサ−バ−を経由し、ユ−ザ−登録申請等の工程後、該メインサ−バ−内のデ−タベ−スへユ−ザ−登録する工程が有り、該ユ−ザ−登録後、ユ−ザ−自身が指定した全国各地の新聞販売所に予め設置したライブカメラにより映し出される新聞販売所近辺のリアルタイムの動画が、インタ−ネット回線により最終的に該メインサ−バ−を経由して、ユ−ザ−のパソコン端末に表示されるよう構成されており、その際、各新聞販売所ごとに予め申し込まれた種々の広告情報等が、動画画面の一部にリンク表示され、ユ−ザ−が該リンク表示画面で、広告に対して、注文や応募等の種々の情報サ−ビスが受けられるようにしておく。
本発明は以上のような構成からなる全国各地の新聞販売所に設置したライブカメラを利用した広告情報提供システムである。
【発明の効果】
【０００６】  本発明の全国各地の新聞販売所に設置したライブカメラを利用した広告情報提供システムは以上のような構成であるため、例えばユ−ザ−自身が興味のある地域に一番近い場所にある新聞販売所からのリアルタイムの動画が自由に閲覧出来るシステムとなる。特にライブカメラの設置場所が日本全国に存在している新聞販売所としたことで、ユ−ザ−の故郷のように興味を抱きやすい所には大体、新聞販売所が在るため、確実にアクセスする事が見込まれる。
その際にライブ動画の表示画面に、例えばその地域の特産品の広告等をリンク表示させれば、ユ−ザ−の購入意欲を高める広告効果が得られる優れた広告情報提供システムとなる。
又、実際にリンク表示された広告に対して注文し、商品等を購入することにより、リンク元サイトの新聞販売所又は新聞社に報酬が支払われるシステムとする事により、更に良いサイトを構築するようになる。
又、ユ−ザ−登録者がメインサ−バ−の設置した新聞社の発行する新聞の購読者であれば、有償の情報サ−ビス、例えば商品購入時に割り引きやポイントサ−ビス等のサ−ビスが受けられるようにすれば新聞購入意欲が高まるものとなる。
【発明を実施するための最良の形態】
【０００７】  本発明で言うユ−ザ−自身が新聞社に設置されたメインサ−バ−内のデ−タベ−スへユ−ザ−登録する種々の登録内容としては、名前、住所、電話番号、生年月日、メ−ルアドレス、パスワ−ド等があげられるが、用途に応じて追加登録されて良い。
なお、ユ−ザ−登録後、パスワ−ドを入力する事で、ライブカメラへアクセス出来る事が望ましい。
全国各地の新聞販売所に設置するライブカメラは、通常、新聞販売所の軒下、玄関、窓等に設置出来、風雨に耐えうるものが好ましく、プライバシ−に配慮した公道、風景等を映すように設置される。又、ライブカメラはＷｅｂｃａｍのように、各新聞販売所ごとに設置しているパソコン端末に接続配線出来るものであれば、特に限定されるものではない。なお、ライブカメラは方向転換、ズ−ムイン、ズ−ムアウトが出来れば更に好ましい。
表示される動画画面の表示形式、方法等も特に限定される事はない。
動画画面の一部にリンク表示される種々の広告情報等は、各新聞販売所ごとに変えてもよく、特にその地域の特産品等が広告として表示される事が好ましい。なお、各新聞販売所ごとにリンク表示される広告主からの広告情報等の申込みや登録、更にはサ−バ−へのアップロ−ド等のサイトの構築等の諸工程は、該新聞販売所担当の広告代理店が行うことが好ましい。
本発明のリアルタイムの動画は、ＡＤＳＬ、光回線等の公知のインタ−ネット回線において配信されるのが好ましい。
本発明で言う有償の情報サ−ビスの割り引き又はポイントサ−ビスとは、例えばリンク表示画面より商品を購入した際に新聞社の発行する新聞の購読者である場合に適応されるのが好ましく、商品の購入費用の割り引きや購入の度にポイントが蓄積していき、一定のポイントがたまると、ポイント数に応じて商品の購入費用に充てる事が出来るものを言う。
【実施例】
【０００８】  以下、本発明の一実施例を、図１で説明する。なお、図１は全国各地の新聞販売所に設置したライブカメラを利用した広告情報提供システムを説明するためのフロ−チャ−トである。【０００９】  ユ−ザ−自身により、新聞社に設置されたメインサ−バ−内のデ−タベ−ス（８）にユ−ザ−登録申請（２）をユ−ザ−のパソコン端末（１）で行い、ユ−ザ−情報が未登録（３）の場合は、ユ−ザ−自身が氏名、住所等の新規登録（４）するのであるが、この際、新聞社側において登録申請の登録確認（５）後デ−タベ−スへ登録（７）する。そしてユ−ザ−へパスワ−ド発行（６）される。
又、ユ−ザ−登録後以降は、ユ−ザ−登録済（９）としてパスワ−ドを入力（１０）することで、ユ−ザ−自身が指定した全国各地の新聞販売所に予め設置されたライブカメラにより映し出される新聞販売所近辺のリアルタイムの動画がユ−ザ−のパソコン端末に表示（１１）される。その際に各新聞販売所ごとに予め申し込まれた種々の広告情報の閲覧（１１）も出来る。
そのリンク表示された広告をクリックする事で広告主のホ−ムペ−ジへ移動し商品の申込み（１２）が行われる。
【図面の簡単な説明】
【００１０】
【図１】  図１は、本発明の全国各地の新聞販売所に設置したライブカメラを利用した広告情報提供システムを説明するためのフロ−チャ−トである。
【符号の説明】
１  ユ−ザ−のパソコン端末  ２  新聞社に設置されたメインサ−バ−内のデ−タベ−スへユ−ザ−登録申請  ３  未登録  ４  新規登録  ５  登録確認  ６  パスワ−ド発行  ７  デ−タベ−スへ登録  ８  メインサ−バ−内のデ−タベ−ス  ９  登録済  １０  パスワ−ド入力  １１  全国各地の新聞販売所のライブカメラの動画表示及びリンク表示された種々の広告情報の閲覧  １２  広告ホ−ムペ−ジでの商品申込み
【図１】
2008225427.tif 000003